(57)【要約】      （修正有）【課題】簡単な構成で病室あるいは病棟内全体の病原体の駆除、不活化を実現しうる対感染症病棟構造を提供する。【解決手段】対感染症病棟構造は、病棟内の複数の病室の吸込み口５４に接続した空気ダクト５６，５８と、病室の吸込み口５４から空気ダクトを介して常時空気を吸込み駆動する吸込み駆動装置６０と、を含み、病室内の空気を吸込みながら各病室内を常時陰圧に保持させる陰圧保持手段を有する。また、空気ダクトからの病室内の空気を加熱処理する加熱処理装置７０と、加熱処理装置による加熱処理後の加熱空気を用いて病原体等を不活化させる高温陽圧室９０と、高温陽圧室へ加熱空気を導入させる加熱空気導入手段と、を備えることで、病棟内の病室での感染症感染遮断を確実に行う。【選択図】図１
0003148324.tif 000002
【実用新案登録請求の範囲】
【請求項１】
病棟内の複数の病室の吸込み口に接続した空気ダクトと、病室の吸込み口から空気ダクトを介して常時空気を吸込み駆動する吸込み駆動装置と、を含み、病室内の空気を吸込みながら各病室内を常時陰圧に保持させる陰圧保持手段と、
空気ダクトからの病室内の空気を加熱処理する加熱処理装置と、
加熱処理装置による加熱処理後の加熱空気を用いて病原体等を不活化させる高温陽圧室と、
高温陽圧室へ加熱空気を導入させる加熱空気導入手段と、を備えたことを特徴とする対感染症病棟構造。
【請求項２】
加熱処理装置は、病室内からの空気の加熱通流室と、加熱通流室の加熱駆動部と、を有し、
加熱通流室に、空気の通流遅延手段と、熱保持手段と、が配置され、さらに、該熱保持手段が空気との接触面積を大とする大表面積構造であることを特徴とする請求項１記載の対感染症病棟構造。
【考案の詳細な説明】
【技術分野】
【０００１】
本考案は、ウイルス、細菌、寄生虫、カビ等の水、土、空気、動物に存在する病原体が、人の体に侵入することによって引き起こされる感染症に対応する対感染症病棟構造に関する。
【背景技術】
【０００２】
近時、新型インフルエンザの流行が懸念され対感染症に向けての十分な対策を講じることが必要とされている。感染症を引き起こす病原体として、例えばウイルス（インフルエンザ、日本脳炎等）、リケッチア（ツツガムシ病等）、細菌（コレラ、赤痢等）、寄生虫（蟯虫等）、カビ（水虫等）が知られており、例えば、エボラウイルスを病原体とする一類感染症の一つのエボラ出血熱においては、罹患時の高熱、頭部・腹部の痛み、消化器や鼻からの激しい出血を伴う症状と、罹患者の半数〜９０％程度が死に至ること、などの悲惨な事例が報告されている。また、特に、強力な毒性と感染力を有するＨ５Ｎ１型ウイルスの感染では例えばわが国人口の４分の１の３２００万人が感染し、うち６４万人が死亡するほどの被害予測がされ、その感染者の爆発的な拡大（パンデミック）によって、交通、輸送、電力などの社会機能の麻痺を引き起こすおそれが指摘されている。従来、このような感染症拡大が実際に起こった際の医療側の備えは不十分なものであり、特に、入院患者の治療、看護のための病院では、罹患患者を収容する病室内での空気伝染、患者が触った器具や衣料品、室内建具等を介した接触伝染等が予想され、これら病室内での感染の遮断を有効に行える方法が望まれている。従来、ウイルス等の感染防止のための方法として、例えば特許文献１に示す機器が提案されている。
【特許文献１】特開平８−１９５２２号
【考案の開示】
【考案が解決しようとする課題】
【０００３】
しかしながら、この特許文献１の医療機器では、例えば患者が接触する寝台，Ｘ線管球や操作者が触れるＸ線診断装置等の機器の操作パネル等に複数層構造のフィルムを剥離可能に被覆し、汚染に応じて表面側から剥離するようにしたものであり、医療用の装置、機器、寝台等の個々の物品ごとにフィルムの被覆を行う必要があり、その被覆作業が煩雑で時間がかかる上に病室内の全ての物品に被覆処理を施すことには無理があり、感染防止について限界があった。
【０００４】
本考案は、上記従来の課題に鑑みてなされたものであり、その一つの目的は、室内のすべての備品や物品、患者の個々について感染防止用のフィルム被覆等を行うことなく、簡単な構成で病室あるいは病棟内全体の病原体の駆除、不活化を実現しうる対感染症病棟構造を提供することにある。また、本考案の他の目的は、病棟内全体の病原体の駆除、不活化に用いられる熱源を利用して病室内での感染遮断に加え、室内の備品や物品等の加熱処理による感染拡大防止を行なえる対感染症病棟構造を提供することである。
【課題を解決するための手段】
【０００５】
上記の目的を達成するために、本考案は、病棟１内の複数の病室の吸込み口５４に接続した空気ダクト５６、５８と、病室の吸込み口５４から空気ダクト５６、５８を介して常時空気を吸込み駆動する吸込み駆動装置６０と、を含み、病室内の空気を吸込みながら各病室内を常時陰圧に保持させる陰圧保持手段Ｋと、空気ダクト５６、５８からの病室内の空気を加熱処理する加熱処理装置７０と、加熱処理装置７０による加熱処理後の加熱空気を用いて病原体等を不活化させる高温陽圧室９０と、高温陽圧室９０へ加熱空気を導入させる加熱空気導入手段９２と、を備えた対感染症病棟構造から構成される。すべての病室内を陰圧に保持し、さらに陰圧下で吸引された空気を加熱処理して病棟での空気伝染を遮断し、同時に加熱処理により大気放出しても無害な空気を生成させる。
【０００６】
また、その際の加熱処理装置７０は、病室内からの空気の加熱通流室７３と、加熱通流室の加熱駆動部７４と、を有し、加熱通流室７３に、空気の通流遅延手段７６と、熱保持手段７７と、が配置され、さらに、該熱保持手段７７が空気との接触面積を大とする大表面積構造７８であるようにするとよい。
【考案の効果】
【０００７】
本考案の対感染症病棟構造を提供によれば、病棟内の複数の病室の吸込み口に接続した空気ダクトと、病室の吸込み口から空気ダクトを介して常時空気を吸込み駆動する吸込み駆動装置と、を含み、病室内の空気を吸込みながら各病室内を常時陰圧に保持させる陰圧保持手段と、空気ダクトからの病室内の空気を加熱処理する加熱処理装置と、加熱処理装置による加熱処理後の加熱空気を用いて病原体等を不活化させる高温陽圧室と、高温陽圧室へ加熱空気を導入させる加熱空気導入手段と、を備えた対感染症病棟構造の構成であるから、病室内に持ち込まれた、あるいは病室内で生起したウイルス、細菌その他の感染症系病原体は確実に病室内から吸引排出され、それらの空気は加熱処理装置により不活化処理され、さらに高温陽圧室に導入されて室内を陽圧保持する結果、病室内での感染経路遮断と、病棟内の空気の加熱処理と、加熱処理空気を利用した医療器具、衣料品等の陽圧高温処理と、病室内の陰圧保持による空気の浄化を同時に達成することが可能である
【０００８】
また、加熱処理装置は、病室内からの空気の加熱通流室と、加熱通流室の加熱駆動部と、を有し、加熱通流室に、空気の通流遅延手段と、熱保持手段と、が配置され、さらに、該熱保持手段が空気との接触面積を大とする大表面積構造とすることにより、病室内から吸引された空気を十分に加熱しウイルス等の不活化処理を確実に行うことができる。
【考案を実施するための最良の形態】
【０００９】
以下、添付図面を参照しつつ本考案を実施するための最良の形態について説明する。図は、本考案の対感染症病棟構造の実施形態を示しており、図１は平面図、図２は図１のＡ−Ａ線拡大断面図である。
【００１０】
図１において、平面長方形状の病棟１としての建物３の内部の中央部に大きなスペースを占有するように、複数の病室を隣接配置した第１、第２、第３、第４の病室ブロック１０，１２，１４，１６が中間に通路１７を十字状に形成し２ブロック２列を縦横に配置して形成されている。実施形態において、それぞれの病室ブロック１０〜１６は、平面視で一方向（図上横方向）に長い長方形状に形成されている。そして、これらの病室ブロック１０〜１６の短辺側の外壁に沿って同外壁の外側に第１〜第６センター部２０，２２，２４，２６，２８，３０が設けられる一方、病室ブロック１０〜１６の長辺側の外壁に沿って同外壁の外側に廊下３２が配置されている。さらに、建物３内の短辺側には第１、第２センター部２０，２２、第５、第６センター部２８，３０に対向して第１、第２控え室部４０，４１が配置されている。第１、第２控え室部４０，４１には出入り口４２，４３が設けられ、病棟外部から内部へ出入りが行われる。
【００１１】
第１控え室部４０は、患者あるいは対象者に予防ワクチン注射を主に投与する予防センター４４、外部からの出入り室となる前室４５、消毒室４６、機械室および更衣室を有する準備室４７を含む。予防センター４４と消毒室４６、準備室４７と消毒室、前室４５と消毒室４６、第１、第２センター部２０，２２の共用部と消毒室４６と、はそれぞれドア４８を介して連通し、自由に出入りできるようになっている。
【００１２】
第１〜第４の病室ブロック１０〜１６は、複数の壁５０により仕切られた複数の病室５１を備えており、実施形態において、それぞれ病室５１（１）〜５１（５）、５１（６）〜５１（１０）、５１（１１）〜５１（１５）、５１（１６）〜５１（２０）がそれぞれのブロックに設けられている。
【００１３】
各病室５１（１）〜５１（２０）内は、床、四周壁、天井壁などを有して独立してある程度の気密を保持した室構造となっており、それぞれの室には複数のベッドが並列配置（実施形態では、各病室に１２個）されている。
【００１４】
図１、２において、各病室の例えば天井Ｌには空気の吸込み口５４が開口されており、これらの各々の吸込み口５４に分岐ダクト５６並びにメインダクト５８が連通接続されている。そして、これらのメインダクト５８部分に空気の吸込み駆動装置６０としての吸込みファンが各病室ブロック１０〜１６に対応してそれぞれ設置されている。空気の吸込み駆動装置６０並びに空気ダクト５６、５８は、病室内の空気を吸込みながら各病室５１（１）〜５１（２０）内を常時陰圧に保持させる陰圧保持手段Ｋであり、吸込み駆動装置６０は例えば連続稼動されて常時病室内空気を吸引し室内を負圧に保持してその室内に持ち込まれた、あるいは室内で生起したウイルスや細菌類を含む空気をそのまま大気に放出させないようにする。
【００１５】
さらに、図において、第１〜第４病室ブロック１０〜１６に対応するそれぞれの吸込み駆動装置に引き込みダクトを介して接続して加熱処理装置７０が設置されている。加熱処理装置７０は、空気ダクト５６、５８からの病室内の空気を加熱処理する加熱処理手段であり、処理対象の空気を装置内に導入させて加熱処理後に装置外に排出させる。本実施形態において、加熱処理装置７０は、各病室ブロック１０〜１６に対応する位置で建物３の躯体の外側に設置されており、縦長の筒形密閉機体の下部寄り側から病室内の空気を導入させ上端寄り位置から排出される。加熱処理装置７０は、例えばウイルスの不活化処理が主な目的ともいえるものであり、したがって、加熱温度は例えば７０℃〜１００℃程度の加熱でよい。したがって、装置７０の構造もバーナ等の熱源からの火焔を直接に受ける部分に耐熱素材の金属、セラミック、レンガ等を用い、ドラム周囲部分などを通常の鋼板などで構成することができる。基本的には耐熱性の金属や耐熱素材のライナー部を有する構造とするのが好ましい。加熱処理装置７０は、例えば図示しないバーナ装置等の熱源と、熱源からの火焔を受ける火焔室７２と、火焔室７２により加熱される加熱通流室７３と、を備えている。バーナなどの熱源と火焔室７２とにより、加熱駆動部７４が構成されている。熱源はガス、重油、灯油その他の燃焼油、電力を通じた電熱エネルギーを用いることができる。
【００１６】
加熱通流室７３は、処理対象の空気を導入しつつ通流させ、その通流の間に該空気を加熱させてウイルス不活化などを行って処理する処理室であり、本実施形態において、該加熱通流室７３には、空気の通流遅延手段７６と、熱保持手段７７と、が配置され、さらに、該熱保持手段７７が空気との接触面積を大とする大表面積構造７８であるもので構成されている。
【００１７】
実施形態において、空気の通流遅延手段７６は、例えば縦長の加熱通流室７３内を複数の分室に区画するように１個又は複数の区画壁を取り付けて複数段の室を有する構造とし、それぞれの区画壁に設ける空気の通流孔の孔位置を上下壁でずらして空気が直上方向にまっすぐに移動しないようにした構造がある。また、各区画壁内に金網や多孔構造物を配置したり、迂回した空気流れや遅延した空気流れとなるように形状誘導性を有する物体を配置させるとよい。また、熱保持手段７７は、火焔室７２からの加熱空気を通流させる短時間に処理対象空気の加熱処理を行う装置であり、例えば材質を金属、セラミックなどで構成した多孔構造体がある。これらの多孔構造体を任意の段の分室に連続、上下交互、組み合わせ配置などの配置態様で設置するとよい。さらにこれらの金属やセラミック製の金網や多孔構造体、あるいは多数の凹凸を形成した板や構造物などを分室に配置させることにより、通流する空気と大きな接触面積を確保し空気の加熱処理を短時間で十分に行うことができる。
【００１８】
さらに、本実施形態において、第１控え室部４０と対向他端側の建物内部には、第２控え室部４１が配置されている。第２控え室部４１は、出入り口４３を有する前室８１と、消毒室８２と、機械室および更衣室を有する準備室８３を含む。準備室４７と消毒室８２、前室８１と消毒室８２はそれぞれドア４８を介して連通し、自由に出入りできるようになっている。また、消毒室８２と隣接する第５センター部２８とはドア４８を介して自由に出入りできる。
【００１９】
本実施形態において、特に、前室８１と消毒室８２に壁を介して隣接するように、建物３の隅部に高温陽圧室９０が設けられ、加熱空気導入装置９２を介して加熱処理装置７０で処理された加熱空気を内部に導入させ、この加熱空気によりさらに高温陽圧室９０内で病院での医療器具、医療機器、衣料品等を連続処理させる。
【００２０】
高温陽圧室９０は、常時、加熱処理装置７０からの加熱処理済み空気を導入させて室内を陽圧に保持し、室内に搬入される物品を加熱処理する処理空間を有する室構造であり、室はシーリング等の方法によりある程度の気密保持が可能に構成されている。高温陽圧室９０には例えば７０℃〜１００℃程度の加熱された空気が常時導入される。高温陽圧室９０には第６のセンター部３０側と自由に出入り可能な開口を開閉するドア９４が設置されており、病棟内で用いる医療装置、医療器具、ベッド、シーツその他のリネン類を自在に搬出入できるようになっている。搬入された医療装置、医療器具、ベッド、シーツその他のリネン類は、高温陽圧室９０内で高温処理され、少なくともウイルスなどの不活化処理やその他の病原体の不活化あるいは死滅処理等を行う。この高温陽圧室９０の吹き出し口に耐熱処理を施した排出ダクト９６の一端が連通接続されるとともに、他端が加熱処理装置７０の排気口に接続されて、加熱処理空気を該高温陽圧室９０内に導入している。図中９８は高温陽圧室から外気へ一定圧以上の空気を逃がす空気逃がし口である。
【００２１】
なお、図中、７１は、他の加熱処理装置であり、それぞれ第１〜第３の病室ブロック対応の吸込みファンに接続され、加熱処理装置７０と同様に対象空気を処理した後は大気に放出している。
【００２２】
この対感染症病棟構造では、吸込み駆動装置６０により常時病室内は陰圧に保持されて、病室内に持ち込まれた、あるいは病室内で生起したウイルス、細菌その他の感染症系病原体は確実に病室内から吸引排出され、それらの空気は加熱処理装置７０により加熱通流中に不活化等処理されて次いで高温陽圧室９０に導入される。高温陽圧室に搬入された医療機器、器具、リネン類等は例えば２０分程度室内に搬入し静置させるだけで同様にウイルスその他の病原体の不活化処理等を行う。したがって、病室内での感染経路を確実に遮断するとともに、病原体を含むおそれのある空気を処理し、さらにその空気を用いて他の器具、衣料品等を加熱処理することができる。また、病室内だけでなく、廊下や通路等の建物内全体を陰圧保持させるようにしてもよく、この場合には、空気ダクトや吸込み口を廊下や通路に面した位置に配置し、さらに対応した容量や数の吸込み駆動装置を設置するとよい。
【００２３】
上記実施形態の対感染症病棟構造は、基礎、土台、壁、天井、屋根部等を有する通常の固定建造物としての例を説明しているが、本考案の対感染症病棟構造は、これに限らず必要に応じて至急に建造して対応する場合のプレハブ形式の建物についても適用されることは言うまでもない。
【図面の簡単な説明】
【００２４】
【図１】本考案の実施形態に係る対感染症病棟構造の建物の概略平面図である。
【図２】図１の建物のＡ−Ａ線縦断面図である。
【図３】図１の加熱処理装置の概略縦断面図である。
【符号の説明】
【００２５】
１  病棟
３  建物
１０〜１６  第１〜第４病室ブロック
５４  吸込み口
５６、５８  空気ダクト
６０  吸込み駆動装置
７０  加熱処理装置
７６  通流遅延手段
７７  熱保持手段
７８  大表面積構造
９０  高温陽圧室
Ｋ  陰圧保持手段
【図１】
0003148324.tif 000003
【図２】
0003148324.tif 000004
【図３】
0003148324.tif 000005